(57)【特許請求の範囲】
【請求項１】
少なくとも前面及び左右両側面に開口が形成され、かつ内部に前記開口を臨む態様で収納室が画成されたケース本体と、
前記収納室の中央部に上下方向に沿って延在し、かつ内部に形成された通風路が前記開口の上縁部に形成された吹出口と前記開口の下縁部に形成された吸込口とに連通する通風路構成部と、
前記通風路構成部の前面及び左右両側面にそれぞれ高さレベルが一致する態様で上下方向に沿って複数段設けられ、かつ棚板の上面に収納対象である商品を載置する商品載置棚と、
前記吸込口を通じて前記収納室の空気を吸い込み、前記通風路を通過させてから前記吹出口より前記収納室に空気を吹き出す態様で空気を循環させる空気循環手段と、
前記空気循環手段により循環させられる空気を冷却する冷却器と
を備え、前記商品載置棚に載置された商品を所望の温度状態に保持するラウンド型オープンショーケースにおいて、
前記通風路構成部は、前面及び左右両側面に形成され、かつ前記通風路を通過する空気の一部を吹き出させる孔部を有しており、
前記通風路構成部の前面に設けられた商品載置棚は、
前記通風路構成部の前面に係止されることで前記棚板の下面を支持し、かつ通気孔が形成された左右一対のブラケットと、
前記ブラケットに少なくとも一部が支持されて前記棚板の下面に対向配置され、かつ該棚板との間で対応する前記孔部から吹き出された空気が前記通気孔を通過することを許容する棚ダクトを構成し、更に複数の通風孔が形成されたダクト板と、
前記棚ダクトの前端部及び左右両側端部を閉塞する閉塞部材と
を備えたことを特徴とするラウンド型オープンショーケース。
【請求項２】
前記閉塞部材は、スリット状の開口が形成されていることを特徴とする請求項１に記載のラウンド型オープンショーケース。
【請求項３】
前記棚板及び前記ダクト板は、透明な板状体であることを特徴とする請求項１又は請求項２に記載のラウンド型オープンショーケース。
【請求項４】
前記ダクト板は、前記棚板に対し着脱可能に配設されることを特徴とする請求項１〜３のいずれか１つに記載のラウンド型オープンショーケース。
【発明の詳細な説明】
【技術分野】
【０００１】
本発明は、ラウンド型オープンショーケースに関するものである。
【背景技術】
【０００２】
従来、ラウンド型オープンショーケースは、前面及び左右両側面に開口が形成されたケース本体を備えている。このケース本体には、各開口を臨む態様で収納室が画成されているとともに、該収納室の中央部に上下方向に沿って延在する通風路構成部が設けられている。通風路構成部の内部には、各開口の上縁部に形成された吹出口と各開口の下縁部に形成された吸込口とに連通する通風路が形成されている。この通風路構成部の前面及び左右両側面には、それぞれ高さレベルが一致する態様で商品載置棚が上下方向に沿って複数段設けられている。これら商品載置棚は、棚板の上面に収納対象である商品を載置するものである。また、吸込口で吸い込まれた空気が通風路に至るまでの間の経路上に蒸発器が配設されている。
【０００３】
このようなラウンド型オープンショーケースにおいては、吸込口を通じて吸い込こまれた収納室の空気が蒸発器で冷却され、その後に通風路を通過してから吹出口より吹き出される。吹出口から吹き出された空気が吸込口に吸い込まれて循環することにより、各商品載置棚に載置された商品が所望の温度に調整されて保持されることとなる。
【０００４】
また、上記ラウンド型オープンショーケースでは、通風路構成部の前面及び左右両側面にも上記通風路を通過する空気の一部を吹き出させる複数の孔部が形成されており、これら孔部が吹き出される空気によって商品載置棚に載置された商品を冷却するようにしている（例えば、特許文献１参照）。
【先行技術文献】
【特許文献】
【０００５】
【特許文献１】特開２００５−２４１１３６号公報
【発明の概要】
【発明が解決しようとする課題】
【０００６】
ところで、上述した特許文献１に提案されているショーケースでは、通風路構成部の前面に設けられた商品載置棚（以下、前方商品載置棚ともいう）は、該通風路構成部の左右両側面に設けられた商品載置棚に連続するラウンド面の商品載置棚となる。
【０００７】
そのため、前方商品載置棚は、通風路構成部の前面に係止される左右一対のブラケットに棚板の下面が支持されているが、該棚板の左右両端部は、該ブラケットよりも左右に突出している。
【０００８】
これにより、通風路構成部の前面に形成された複数の孔部から空気が吹き出されても、左右一対のブラケットに吹き出された空気が干渉してしまい、前方商品載置棚における棚板の前方側左右両端部には空気が流れにくくデッドスペースとなる。この結果、前方商品載置棚における棚板の前方側左右両端部に載置された商品を良好に所望の温度状態にすることが困難であった。
【０００９】
本発明は、上記実情に鑑みて、通風路構成部の前面に設けられた商品載置棚の棚板の前方側左右両端部に載置された商品を良好に所望の温度状態にすることができるラウンド型オープンショーケースを提供することを目的とする。
【課題を解決するための手段】
【００１０】
上記目的を達成するために、本発明に係るラウンド型オープンショーケースは、少なくとも前面及び左右両側面に開口が形成され、かつ内部に前記開口を臨む態様で収納室が画成されたケース本体と、前記収納室の中央部に上下方向に沿って延在し、かつ内部に形成された通風路が前記開口の上縁部に形成された吹出口と前記開口の下縁部に形成された吸込口とに連通する通風路構成部と、前記通風路構成部の前面及び左右両側面にそれぞれ高さレベルが一致する態様で上下方向に沿って複数段設けられ、かつ棚板の上面に収納対象である商品を載置する商品載置棚と、前記吸込口を通じて前記収納室の空気を吸い込み、前記通風路を通過させてから前記吹出口より前記収納室に空気を吹き出す態様で空気を循環させる空気循環手段と、前記空気循環手段により循環させられる空気を冷却する冷却器とを備え、前記商品載置棚に載置された商品を所望の温度状態に保持するラウンド型オープンショーケースにおいて、前記通風路構成部は、前面及び左右両側面に形成され、かつ前記通風路を通過する空気の一部を吹き出させる孔部を有しており、前記通風路構成部の前面に設けられた商品載置棚は、前記通風路構成部の前面に係止されることで前記棚板の下面を支持し、かつ通気孔が形成された左右一対のブラケットと、前記ブラケットに少なくとも一部が支持されて前記棚板の下面に対向配置され、かつ該棚板との間で対応する前記孔部から吹き出された空気が前記通気孔を通過することを許容する棚ダクトを構成し、更に複数の通風孔が形成されたダクト板と、前記棚ダクトの前端部及び左右両側端部を閉塞する閉塞部材とを備えたことを特徴とする。
【００１１】
また本発明は、上記ラウンド型オープンショーケースにおいて、前記閉塞部材は、スリット状の開口が形成されていることを特徴とする。
【００１２】
また本発明は、上記ラウンド型オープンショーケースにおいて、前記棚板及び前記ダクト板は、透明な板状体であることを特徴とする。
【００１３】
また本発明は、上記ラウンド型オープンショーケースにおいて、前記ダクト板は、前記棚板に対し着脱可能に配設されることを特徴とする。
【発明の効果】
【００１４】
本発明によれば、通風路構成部の前面に設けられた商品載置棚は、棚板の下面に対向配置されるダクト板が、棚板との間で対応する孔部から吹き出された空気がブラケットの通気孔を通過することを許容する棚ダクトを構成しているので、棚ダクトに進入した空気は、ブラケットに略干渉されることなく、通気孔を通過して該商品載置棚の前方側左右両端部まで流れることができる。しかも棚ダクトの内部は閉塞部材により静圧が増大しているので、棚ダクトを流れる空気は、ダクト板に形成された通気孔より下方に向けて吹き出され、直下の商品載置棚に載置された商品を冷却することができる。従って、商品載置棚の棚板の前方側左右両端部に載置された商品を良好に所望の温度状態にすることができるという効果を奏する。
【図面の簡単な説明】
【００１５】
【図１】図１は、本発明の実施の形態であるラウンド型オープンショーケースを左方から見た場合を模式的に示す断面側面図である。
【図２】図２は、ラウンド型オープンショーケースを右方から見た場合を模式的に示す断面側面図である。
【図３】図３は、ラウンド型オープンショーケースを前面から見た場合を示す断面図である。
【図４】図４は、前方商品載置棚を示す斜視図である。
【図５】図５は、前方商品載置棚を前方から見た場合を模式的に示す断面図である。
【図６】図６は、前方商品載置棚の要部を右側から見た場合を模式的に示す断面図である。
【発明を実施するための形態】
【００１６】
以下に添付図面を参照して、本発明に係るラウンド型オープンショーケースの好適な実施の形態について詳細に説明する。
【００１７】
図１〜図３は、それぞれ本発明の実施の形態であるラウンド型オープンショーケースを示すものであり、図１は、ラウンド型オープンショーケースを左方から見た場合を模式的に示す断面側面図であり、図２は、ラウンド型オープンショーケースを右方から見た場合を模式的に示す断面側面図であり、図３は、ラウンド型オープンショーケースを前面から見た場合を示す断面図である。ここで例示するラウンド型オープンショーケースは、ケース本体１０を備えている。
【００１８】
ケース本体１０は、前面及び左右両側面に開口１０ａ，１０ｂ，１０ｃが形成された断熱筐体である。このケース本体１０は、その内部に収納室１１が画成されている。
【００１９】
収納室１１は、前面に形成された開口（以下、前面開口ともいう）１０ａ、左側面に形成された開口（以下、左側面開口ともいう）１０ｂ、右側面に形成された開口（以下、右側面開口ともいう）１０ｃを臨む態様で画成された室である。
【００２０】
このような収納室１１の中央部には、上下方向に沿って延在する柱状の通風路構成部２０が設けられている。この通風路構成部２０は、内部にそれぞれ上下方向に沿って延在する３つの通風路（前方通風路２１、左方通風路２２、右方通風路２３）が形成されている。
【００２１】
前方通風路２１は、収納室１１外であって収納室１１の下方側となる前方下側ダクト１２を通じて前方吸込口１２ａに連通し、かつ収納室１１外であって収納室１１の上方側の前方上側ダクト１３を通じて前方吹出口１３ａに連通している。ここで前方吸込口１２ａは、前面開口１０ａの下縁部に形成された開口である。前方吹出口１３ａは、前面開口１０ａの上縁部に形成された開口である。
【００２２】
そして、前方下側ダクト１２には蒸発器（冷却器）３１及び前方循環ファン（空気循環手段）３２が配設されている。
【００２３】
蒸発器３１は、図示せぬ圧縮機、凝縮器及び膨張機構とともに冷媒を循環させる冷媒循環手段を構成しており、自身に供給された冷媒と自身の周囲を通過する空気とを熱交換して該空気を冷却するものである。前方循環ファン３２は、駆動して空気を循環させるものである。
【００２４】
左方通風路２２は、収納室１１外であって収納室１１の下方側となる左方下側ダクト１４を通じて左方吸込口１４ａに連通し、かつ収納室１１外であって収納室１１の上方側となる左方上側ダクト１５を通じて左方吹出口１５ａに連通している。ここで左方吸込口１４ａは、左側面開口１０ｂの下縁部に形成された開口である。左方吹出口１５ａは、左側面開口１０ｂの上縁部に形成された開口である。
【００２５】
そして、左方下側ダクト１４には蒸発器（冷却器）３３及び左方循環ファン（空気循環手段）３４が配設されている。
【００２６】
蒸発器３３は、上述した圧縮機、凝縮器及び膨張機構とともに冷媒を循環させる冷媒循環手段を構成しており、自身に供給された冷媒と自身の周囲を通過する空気とを熱交換して該空気を冷却するものである。左方循環ファン３４は、駆動して空気を循環させるものである。
【００２７】
右方通風路２３は、収納室１１外であって収納室１１の下方側となる右方下側ダクト１６を通じて右方吸込口１６ａに連通し、かつ収納室１１外であって収納室１１の上方側となる右方上側ダクト１７を通じて右方吹出口１７ａに連通している。ここで右方吸込口１６ａは、右側面開口１０ｃの下縁部に形成された開口である。右方吹出口１７ａは、右側面開口１０ｃの上縁部に形成された開口である。
【００２８】
そして、右方下側ダクト１６には蒸発器（冷却器）３５及び右方循環ファン（空気循環手段）３６が配設されている。
【００２９】
蒸発器３５は、上述した圧縮機、凝縮器及び膨張機構とともに冷媒を循環させる冷媒循環手段を構成しており、自身に供給された冷媒と自身の周囲を通過する空気とを熱交換して該空気を冷却するものである。右方循環ファン３６は、駆動して空気を循環させるものである。
【００３０】
上記通風路構成部２０の前面及び左右両側面には、複数の孔部２４が形成されている。これら孔部２４は、複数の高さレベルにおいて左右方向若しくは前後方向に沿って所定間隔毎に形成されている。
【００３１】
また、上記通風路構成部２０の前面及び左右両側面には、それぞれ複数の商品載置棚４０ａ，４０ｂ，４０ｃが上下方向に沿って並ぶよう設けられている。これら商品載置棚４０ａ，４０ｂ，４０ｃは、それぞれ商品を載置するものである。
【００３２】
そして、本実施の形態では、通風路構成部２０の前面に設けられた商品載置棚（以下、前方商品載置棚）４０ａは、通風路構成部２０の左右両側面に設けられた商品載置棚（左方商品載置棚４０ｂ及び右方商品載置棚４０ｃ）に連続するラウンド面の商品載置棚となる。
【００３３】
よって、以下においては、本発明の特徴部分である前方商品載置棚４０ａの構造について詳細に説明し、左方商品載置棚４０ｂ及び右方商品載置棚４０ｃは従来と同様の構成を有するものであるからその説明については割愛する。
【００３４】
図４は、前方商品載置棚４０ａを示す斜視図であり、図５は、前方商品載置棚４０ａを前方から見た場合を模式的に示す断面図である。これら図４及び図５を用いて前方商品載置棚４０ａについて説明する。ここで例示する前方商品載置棚４０ａは、棚板４１と、ダクト板４２ａ，４２ｂ，４２ｃと、閉塞部材４３とを備えて構成されている。
【００３５】
棚板４１は、例えばアクリル樹脂等の透明な樹脂材から構成された板状体であり、上面が商品を載置する載置面を構成するものである。この棚板４１は、左右一対のブラケット４４ａ，４４ｂを介して通風路構成部２０の前面に支持されている。
【００３６】
左右一対のブラケット４４ａ，４４ｂは、後方に向けて突出する係止片（図示せず）が通風路構成部２０の前面の両端部に形成された係止孔２５に進入して該通風路構成部２０の前面に係止され、これにより棚板４１の下面を支持するものである。ここで棚板４１は、左右方向の長さが、左右一対のブラケット４４ａ，４４ｂの離間距離よりも大きく、該ブラケット４４ａ，４４ｂよりも左右に突出している。
【００３７】
また各ブラケット４４ａ，４４ｂには、通気孔４４１が形成されており、更に左右両方に向けて突出する上下一対の支持片４４２が形成されている。
【００３８】
ダクト板４２ａ，４２ｂ，４２ｃは、複数（図示の例では３つ）設けられており、それぞれが上記棚板４１と同様に例えばアクリル樹脂等の透明な樹脂材から構成された板状体である。
【００３９】
中央のダクト板４２ａは、左側端部が左方ブラケット４４ａの支持片４４２に挟まれ、かつ右側端部が右方ブラケット４４ｂの支持片４４２に挟まれるようにして棚板４１に対向配置されている。また、左側のダクト板４２ｂは、右側端部が左方ブラケット４４ａの支持片４４２に挟まれるようにして棚板４１に対向配置されている。更に、右側のダクト板４２ｃは、左側端部が右方ブラケット４４ｂの支持片４４２に挟まれるようにして棚板４１に対向配置されている。
【００４０】
このようなダクト板４２ａ，４２ｂ，４２ｃは、上記棚板４１との間で対応する孔部２４から吹き出された空気が通気孔４４１を通過することを許容する棚ダクト４５を構成している。そして、中央のダクト板４２ａは、全域に亘って複数の通風孔４２１が形成されており、左側のダクト板４２ｂ及び右側のダクト板４２ｃは、中央領域を除く部分、すなわち前端部、後端部、左端部及び右端部に複数に通風孔４２１が形成されている。
【００４１】
閉塞部材４３は、例えば金属等で形成された長尺状部材であり、棚板４１とダクト板４２ａ，４２ｂ，４２ｃとで構成される棚ダクト４５の前端部及び左右両側端部を閉塞する態様で設けられている。このような閉塞部材４３には、スリット状の開口４３１が形成されている。かかる閉塞部材４３は、棚ダクト４５の前端部及び左右両側端部を閉塞する態様で設けられているものの、スリット状の開口４３１が形成されているので、実際には棚ダクト４５を閉塞していない。しかしながら、スリット状の開口４３１の開口面積が棚ダクト４５の前端部や左右両側端部の開口面積よりも小さいので、棚ダクト４５の内部における静圧を増大させることができる。
【００４２】
ところで、この閉塞部材４３を棚板４１から取り外した場合には、ダクト板４２ａ，４２ｂ，４２ｃは、ブラケット４４ａ，４４ｂの支持片４４２に挟まれるようにして支持されているだけなので、図６に示すように、ダクト板４２ａ，４２ｂ，４２ｃを前方に向けてスライド移動させることでダクト板４２ａ，４２ｂ，４２ｃを容易に離脱させることができる。つまり、ダクト板４２ａ，４２ｂ，４２ｃは、棚板４１に対して着脱可能に配設されている。
【００４３】
以上のような構成によるラウンド型オープンショーケースにおいては、前方循環ファン３２及び圧縮機を駆動させると、前方商品載置棚４０ａに載置された商品は次のようにして冷却される。
【００４４】
収納室１１の内部の空気は、前方吸込口１２ａを通じて吸い込まれ、前方下側ダクト１２を通過する。前方下側ダクト１２を通過する空気は、蒸発器３５の周囲を通過して冷却される。この蒸発器３５にて冷却された空気は、前方通風路２１を通過して、一部が各孔部２４から前方に向けて吹き出されるとともに、一部が前方上側ダクト１３を通過して前方吹出口１３ａから吹き出される。
【００４５】
前方吹出口１３ａから吹き出された空気は、前方吸込口１２ａに向けて流れることでエアカーテンを形成する。このようにエアカーテンを形成することにより、外部からの熱の侵入を抑制しつつ、収納室１１の内部空気を冷却する。
【００４６】
また、各孔部２４から吹き出された空気は、棚ダクト４５に進入する。ここで棚ダクト４５は、ブラケット４４ａ，４４ｂの通気孔４４１を通過することを許容するものであるので、棚ダクト４５に進入した空気は、ブラケット４４ａ，４４ｂに略干渉されることなく、通気孔４４１を通過して前方商品載置棚４０ａの前方側左右両端部まで流れることができる。しかも棚ダクト４５の内部は閉塞部材４３により静圧が増大しているので、棚ダクト４５を流れる空気は、ダクト板４２ａ，４２ｂ，４２ｃに形成された通気孔４４１より下方に向けて吹き出され、直下の商品載置棚４０ａ，４０ｂ，４０ｃに載置された商品を冷却することができる。
【００４７】
以上説明したように本発明の実施の形態であるラウンド型オープンショーケースによれば、通風路構成部２０の孔部２４より吹き出された空気を前方商品載置棚４０ａの前方側左右両端部まで流させることができ、しかも棚ダクト４５を流れる空気を通気孔４４１より下方に向けて吹き出させることができるので、商品載置棚４０ａ，４０ｂ，４０ｃの棚板４１の前方側左右両端部に載置された商品を良好に所望の温度状態にすることができる。
【００４８】
上記ラウンド型オープンショーケースによれば、閉塞部材４３にスリット状の開口４３１が形成されているので、かかるスリット状の開口４３１より棚ダクト４５に進入した空気の一部を吹き出させることで、該閉塞部材４３の表面に結露等が生ずることを抑制することができる。
【００４９】
上記ラウンド型オープンショーケースによれば、棚板４１及びダクト板４２ａ，４２ｂ，４２ｃが透明な板状体であるので、当該商品載置棚４０ａ，４０ｂ，４０ｃの上方側からでも該商品載置棚４０ａ，４０ｂ，４０ｃの下方に載置された商品を視認させることができる。
【００５０】
上記ラウンド型オープンショーケースによれば、ダクト板４２ａ，４２ｂ，４２ｃが棚板４１に対し着脱可能に配設されているので、ダクト板４２ａ，４２ｂ，４２ｃを棚板４１から離脱させて清掃等を容易に行うことができる。
【００５１】
以上、本発明の好適な実施の形態について説明したが、本発明はこれに限定されるものではなく、種々の変更を行うことができる。
【００５２】
上述した実施の形態では、閉塞部材４３にスリット状の開口４３１が形成されていたが、本発明においては、閉塞部材にスリット状の開口が形成されていなくてもよい。
【００５３】
上述した実施の形態では、ダクト板４２が棚板４１から着脱可能な構成であったが、本発明においては、ダクト板が棚板から離脱することができれば、ダクト板の支持構造は特に限定されるものではない。
【符号の説明】
【００５４】
１０  ケース本体
１０ａ  前面開口
１１  収納室
１２ａ  前方吸込口
１３ａ  前方吹出口
２０  通風路構成部
２１  前方通風路
２４  孔部
３１  蒸発器（冷却器）
３２  前方循環ファン（空気循環手段）
４０ａ  前方商品載置棚
４１  棚板
４２ａ  ダクト板
４２ｂ  ダクト板
４２ｃ  ダクト板
４２１  通風孔
４３  閉塞部材
４４ａ  ブラケット
４４ｂ  ブラケット
４４１  通気孔
４４２  支持片
４５  棚ダクト
【図１】
0006471521.tif 000002
【図２】
0006471521.tif 000003
【図３】
0006471521.tif 000004
【図４】
0006471521.tif 000005
【図５】
0006471521.tif 000006
【図６】
0006471521.tif 000007